(57)【要約】【課題】香り発生装置の取り替え操作を容易にすることができる画像形成装置を提供する。【解決手段】揮散性薬剤を内部に収容する容器体と、容器体が配置され装置本体内の空気を排出する開口部と、開口部を覆い排気手段により排出される空気を通過させる通気孔を有する着脱可能な外装部材と、を備え、外装部材は、内面側にスライド移動方向に連続して形成されたレール部を有し、開口部はレール部を受け入れて外装部材のスライド移動を案内する案内部を有する。【選択図】図４
2016180831.tif 000002
【特許請求の範囲】
【請求項１】
揮散性薬剤を内部に収容する容器体と、
前記容器体が配置され装置本体内の空気を排出する開口部と、
前記開口部を覆い前記排気手段により排出される前記空気を通過させる通気孔を有する着脱可能な外装部材と、を備え、
前記外装部材は、内面側にスライド移動方向に連続して形成されたレール部を有し、前記開口部は前記レール部を受け入れて前記外装部材のスライド移動を案内する案内部を有する、
ことを特徴とする画像形成装置。
【請求項２】
前記外装部材のレール部が前記開口部の案内部に案内された状態で、スライド移動方向と交差する方向の断面における前記外装部材と前記開口部との外面側の間隙が、前記外装部材と前記開口部との内面側の間隙よりも大きい、
ことを特徴とする請求項１に記載の画像形成装置。
【請求項３】
前記外装部材のレール部は、前記外装部材を前記案内部から回転して引き出す方向に案内する形状である、
ことを特徴とする請求項１又は２に記載の画像形成装置。
【請求項４】
前記開口部の前記容器体の挿入方向奥部には前記容器体の一面に形成された係合凹部又は係合凸部を受け入れて前記容器体を保持する係合凸部又は係合凹部が形成され、前記開口部の前記容器体の挿入方向と交差する底部には前記容器体の他の一面に形成された係合凸部又は係合凹部を受け入れて前記容器体を保持する係合凹部又は係合凸部が形成されている、
ことを特徴とする請求項１ないし３のいずれか１項に記載の画像形成装置。
【請求項５】
前記容器体の他の一面に形成された係合凸部又は係合凹部が、前記容器体の他の一面と一体として形成された弾性片に形成されている、
ことを特徴とする請求項４に記載の画像形成装置。
【請求項６】
前記開口部に、挿入された前記容器体の挿入方向と交差する方向の移動を規制する規制部材が設けられている、
ことを特徴とする請求項５に記載の画像形成装置。
【請求項７】
前記開口部に着脱可能に配置され排気手段により排出される前記空気を通過させるフィルタを更に備え、
前記フィルタが、前記容器体の一面と前記開口部の一面に接触して移動しながら前記開口部の内部後方に案内されて配置される、
ことを特徴とする請求項１ないし５のいずれか１項に記載の画像形成装置。
【請求項８】
前記フィルタに、挿入された前記容器体の挿入方向と交差する方向の移動を規制する規制部材が設けられている、
ことを特徴とする請求項７に記載の画像形成装置。
【発明の詳細な説明】
【技術分野】
【０００１】
本発明は、香り発生装置に関する。
【背景技術】
【０００２】
収容した薬剤を容器体に開設された揮散孔から揮散する芳香剤において、容器体の外周面に弾性体を突出させた状態で設け、当該容器体をドアポケットに収容した状態で該ドアポケットの内側面に弾性体が当接するように構成した芳香剤が知られている（特許文献１）。
装置本体に排気口を備え、その排気口に排気カバーを取り付け、その排気カバーの排気孔を通して排気する電子写真記録装置において、装置本体に対して排気カバーの向きを調整可能とした電子写真記録装置も知られている（特許文献２）。
【先行技術文献】
【特許文献】
【０００３】
【特許文献１】特開２０１４−５０４９１号公報
【特許文献２】特開平６−４３７０８号公報
【発明の概要】
【発明が解決しようとする課題】
【０００４】
本発明は、香り発生装置の取り替え操作を容易にすることを目的とする。
【課題を解決するための手段】
【０００５】
前記課題を解決するために、請求項１に記載の画像形成装置は、
揮散性薬剤を内部に収容する容器体と、
前記容器体が配置され装置本体内の空気を排出する開口部と、
前記開口部を覆い前記排気手段により排出される前記空気を通過させる通気孔を有する着脱可能な外装部材と、を備え、
前記外装部材は、内面側にスライド移動方向に連続して形成されたレール部を有し、前記開口部は前記レール部を受け入れて前記外装部材のスライド移動を案内する案内部を有する、
ことを特徴とする。
【０００６】
請求項２記載の発明は、請求項１に記載の画像形成装置において、
前記外装部材のレール部が前記開口部の案内部に案内された状態で、スライド移動方向と交差する方向の断面における前記外装部材と前記開口部との外面側の間隙が、前記外装部材と前記開口部との内面側の間隙よりも大きい、
ことを特徴とする。
【０００７】
請求項３記載の発明は、請求項１又は２に記載の画像形成装置において、
前記外装部材のレール部は、前記外装部材を前記案内部から回転して引き出す方向に案内する形状である、
ことを特徴とする。
【０００８】
請求項４記載の発明は、請求項１ないし３のいずれか１項に記載の画像形成装置において、
前記開口部の前記容器体の挿入方向奥部には前記容器体の一面に形成された係合凹部又は係合凸部を受け入れて前記容器体を保持する係合凸部又は係合凹部が形成され、前記開口部の前記容器体の挿入方向と交差する底部には前記容器体の他の一面に形成された係合凸部又は係合凹部を受け入れて前記容器体を保持する係合凹部又は係合凸部が形成されている、
ことを特徴とする。
【０００９】
請求項５記載の発明は、請求項４に記載の画像形成装置において、
前記容器体の他の一面に形成された係合凸部又は係合凹部が、前記容器体の他の一面と一体として形成された弾性片に形成されている、
ことを特徴とする。
【００１０】
請求項６記載の発明は、請求項１ないし５のいずれか１項に記載の画像形成装置において、
前記開口部に、挿入された前記容器体の挿入方向と交差する方向の移動を規制する規制部材が設けられている、
ことを特徴とする。
【００１１】
請求項７記載の発明は、請求項１ないし５のいずれか１項に記載の画像形成装置において、
前記開口部に着脱可能に配置され排気手段により排出される前記空気を通過させるフィルタを更に備え、
前記フィルタが、前記容器体の一面と前記開口部の一面に接触して移動しながら前記開口部の内部後方に案内されて配置される、
ことを特徴とする。
【００１２】
請求項８記載の発明は、請求項７項に記載の画像形成装置において、
前記フィルタに、挿入された前記容器体の挿入方向と交差する方向の移動を規制する規制部材が設けられている、
ことを特徴とする。
【発明の効果】
【００１３】
請求項１に記載の発明によれば、装置本体の設置場所に係わらず、香り発生装置の取り替え操作を容易に行うことができる。
請求項２及び３に記載の発明によれば、開口部を覆う外装部材の着脱を容易に行うことができる。
請求項４及び５に記載の発明によれば、香り発生装置の交換を容易に行うことができる。
請求項６及び８に記載の発明によれば、香り発生装置を開口部に確実に固定することができる。
請求項７に記載の発明によれば、フィルタの交換を容易に行うころができる。
【図面の簡単な説明】
【００１４】
【図１】（ａ）は外装部材１２２の外面側に視点をおいた斜視図及び横断面図、（ｂ）は外装部材１２２の内面側に視点をおいた斜視図及び縦断面図である。
【図２】（ａ）は香り発生装置１０が設置された開口部を示す平面断面模式図、（ｂ）は側面断面模式図、（ｃ）は外装部材１２２が取り付けられた開口部の背面図である。
【図３】（ａ）は開口部１２１に対する外装部材１２２の着脱操作を説明する平面断面模式図、（ｂ）は背面模式図である。
【図４】（ａ）は香り発生装置１０が設置された開口部１２１の平面断面模式図、（ｂ）は側面断面模式図、（ｃ）は背面断面模式図である。
【図５】（ａ）は香り発生装置１０Ａとフィルタ２０が設置された開口部１２１の平面断面模式図、（ｂ）は側面断面模式図、（ｃ）は背面断面模式図である。
【図６】（ａ）は香り発生装置１０の１つの構成を示す斜視図、（ｂ）は縦断面図、（ｃ）は香り発生装置１０の開閉機構の構成を示す断面模式図である。
【図７】（ａ）は画像形成装置１００の外観全体を示す背面斜視図、（ｂ）は香り発生装置１０が設置された画像形成装置１００の背面斜視図、（ｃ）は左側面部分断面図、（ｄ）は平面部分断面図である。
【発明を実施するための形態】
【００１５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１６】
「第１実施形態」
（１）画像形成装置の構成
図６（ａ）は香り発生装置１０の１つの構成を示す斜視図、（ｂ）は縦断面図、（ｃ）は香り発生装置１０の開閉機構の構成を示す断面模式図、図７（ａ）は画像形成装置１００の外観全体を示す背面斜視図、（ｂ）は香り発生装置１０が設置された画像形成装置１００の背面斜視図、（ｃ）は左側面部分断面図、（ｄ）は平面部分断面図である。
以下、図面を参照しながら香り発生装置１０が設置された画像形成装置１００の全体構成と動作について説明する。
【００１７】
（１．１）香り発生装置
容器体の一例としての香り発生装置１０は、一端側が開口した有底の容器本体１１に、揮散性薬剤Ｓを収容する。開口部は、蓋体１２と接合され、揮散性薬剤Ｓが収容された容器体として密閉されている。
【００１８】
蓋体１２の上面には、開閉機構１５が設けられている。開閉機構１５は、図６に示すように、開口部を塞ぐ閉鎖位置（図６（ｂ）参照）と互いに離間して開口部を開放する開放位置（図６（ｃ）参照）とを切り替えるようになっている。
【００１９】
開閉機構１５は、開放位置では、図６（ｃ）に示すようにそれぞれのフラップ１６が形成する通気路１７が断面視一定方向に傾斜して停止するように回転が規制されている。その結果、香り発生装置１０が設置された状態で蓋体１２の上方を空気流が流通した場合には、通気路１７を介して容器本体１１の内部から揮散した香り成分が空気流の流通方向に拡散する。
【００２０】
揮散性薬剤Ｓは、揮散性物質を保持し、容器本体１１内に充填されて保持されたゲル成形体である。ゲル成形体に保持される揮散性物質は、ゲル成形体から揮散により蓋体１２の通気路１７を介して外部に放出される物質であり、揮散性の芳香剤、消香剤などが挙げられる。
【００２１】
ゲル成形体は、揮散性物質を溶解して保持するゲルから形成され、ゲル成分としては、ゼラチン、オイルゲル、吸水ポリマー、多官能の酸とポリオールの重縮合ゲル等の公知のゲルが用いられるが、開口部側が上下いずれの方向でも使用できるように、形状保持性を有するように形成される。
【００２２】
（１．２）画像形成装置
図７（ｃ）、（ｄ）に示すように、画像形成装置１００の背面側の筐体（不図示）内には排気装置１１０が設けられている。
排気装置１１０は、筐体（不図示）内で画像形成装置１００の背面側に向かって形成された通気ダクト１１１を有し、排気ファン１１２を回転駆動して外装カバー１２０に形成された開口部１２１から画像形成装置１００内の熱せられた空気を機外へ排出する。
【００２３】
外装カバー１２０の開口部１２１の底面１２１ａには香り発生装置１０が設置されている。開口部１２１には、開口部１２１を覆い排気ファン１１２により排出される空気を通過させる通気孔１２３を有する着脱可能な外装部材１２２が取り付けられている（図１（ａ）、（ｂ）参照）。
【００２４】
画像形成装置１００は、動作状態において排気ファン１１２が回転すると、画像形成装置１００内部の空気が吸入され、開口部１２１から外装部材１２２の通気孔１２３を介して装置外部へ排気する。
排気ファン１１２によって通気孔１２３から排気される空気流は、香り発生装置１０の上方を流通し、香り発生装置１０の内部から揮散した香り成分が空気流の流通方向に拡散する。その結果、画像形成装置１００の利用者を含む周辺環境へ安定した濃度で香りを提供することができる。
【００２５】
（２）香り発生装置の交換操作
図１（ａ）は外装部材１２２の外面側に視点をおいた斜視図及び横断面図、（ｂ）は外装部材１２２の内面側に視点をおいた斜視図及び縦断面図、図２（ａ）は香り発生装置１０が設置された開口部を示す平面断面模式図、（ｂ）は側面断面模式図、（ｃ）は外装部材１２２が取り付けられた開口部の背面図、図３（ａ）は開口部１２１に対する外装部材１２２の着脱操作を説明する平面断面模式図、（ｂ）は背面模式図、図４（ａ）は香り発生装置１０が設置された開口部１２１の平面断面模式図、（ｂ）は側面断面模式図、（ｃ）は背面断面模式図である。
以下図面を参照しながら、香り発生装置１０の交換操作について説明する。
【００２６】
（２．１）外装部材の着脱
図１（ａ）に示すように、外装部材１２２は、平面視Ｌ字断面形状を有し装置本体の外装カバー１２０に着脱可能なカバーである。外装部材１２２は、装置本体に装着された状態で装置本体の左側面に向いた第一面１２２ａと装置本体の背面側に向いた第二面１２２ｂから構成されている。
【００２７】
第一面１２２ａには、通気孔１２３が形成されている。通気孔１２３は、装置本体の開口部１２１から排気される空気を装置本体の左側方側へ通過させるルーバ構造をなしている。第二面１２２ｂは、全面が開口部１２１の装置本体背面側を塞ぐようになっている。
【００２８】
図１（ｂ）に示すように、第二面１２２ｂの内面側には、着脱方向に連続してレール部１２４が形成されている。図２（ｂ）に示すように、装置本体の外装カバー１２０の開口部１２１には、レール部１２４を受け入れて外装部材１２２のスライド移動を案内する案内部１２５が形成されている。
レール部１２４は、外装部材１２２のスライド移動方向に沿って形成された断面凸形状のレール部であり、外装部材１２２のレール部１２４が凸形状の輪郭に沿った開口部１２１の凹形状の案内部に係合された状態でスライド移動して装置本体の開口部１２１に対して着脱される。
【００２９】
図２（ｂ）に示すように、外装部材１２２のレール部１２４が凸形状の輪郭に沿った開口部１２１の凹形状の案内部１２５に案内された状態で、スライド移動方向と交差する方向の断面におけるレール部１２４の凸形状と開口部１２１の凹形状との外装部材１２２の外面側の間隙（Ｇ１）が、外装部材１２２の内面側の間隙（Ｇ２）よりも大きく設定されている。
また、図１（ｂ）、図２（ｃ）に示すように、外装部材１２２のレール部１２４はスライド移動方向における終端部１２４ａが開口部１２１の案内部１２５からスライド移動方向とは離れる方向に湾曲したＲ形状として形成されている。
【００３０】
その結果、外装部材１２２を装置本体の開口部１２１を覆った状態から開放するようにスライド移動させて引き出す際に、開口部１２１から外装部材１２２を上方向又は下方向に回転させるように引き出し操作してもレール部１２４が開口部１２１の案内部１２５の角部１２５ａに干渉しにくく操作性を向上させることができる。
また、外装部材１２２を装置本体の開口部１２１に装着する際には、終端部１２４ａのＲ形状が開口部１２１の案内部１２５に対して誘い込み形状として作用して取り付けの操作性を向上させることができる。
【００３１】
（２．２）香り発生装置の交換
図４（ａ）、（ｂ）に示すように、開口部１２１の香り発生装置１０の挿入方向奥部には香り発生装置１０の一面に形成された係合凹部１１ａが嵌まり込んで香り発生装置１０を保持する係合凸部１２６が形成されている。
尚、香り発生装置１０の位置決めとしては、係合凸部１１ｂを受け入れて香り発生装置１０を保持する係合凹部１２６ａが形成されていてもよい。
【００３２】
開口部１２１の香り発生装置１０の挿入方向と交差する底面１２１ａには香り発生装置１０の容器本体１１の底面に形成された係合凸部１１ｂを受け入れて香り発生装置１０を保持する係合凹部１２７が形成されている。
【００３３】
香り発生装置１０の容器本体１１の底面に形成された係合凸部１１ｂは、容器本体１１の底面と一体として形成された弾性片としてのレバー部材１８に形成されている。
その結果、開口部１２１に香り発生装置１０を挿入して取り付ける際には、係合凸部１２６に香り発生装置１０の係合凹部１１ａが係合して位置決めされ、香り発生装置１０の係合凸部１１ｂが開口部１２１の係合凹部１２７に嵌まり込んで確実に固定される。
【００３４】
香り発生装置１０を開口部１２１から取り外す場合には、レバー部材１８を操作して開口部１２１の係合凹部１２７に嵌まり込んでいる香り発生装置１０の係合凸部１１ｂを離間させて容易に固定を解除することができる。
尚、図４（ｄ）に示すように、容器本体１１の底面に係合凹部１１ｃが形成され、開口部１２１の底面に係合凸部１２７ａが形成されていても良い。
【００３５】
開口部１２１には、挿入された香り発生装置１０の挿入方向と交差する方向の移動を規制する規制部材１２９が設けられている。
規制部材１２９は、開口部１２１の壁面１２１ｃから一体に形成され、開口部１２１に挿入されて固定された香り発生装置１０の上方向への浮きを防止している。
【００３６】
このように構成される画像形成装置１００は、香り発生装置１０が設置された開口部１２１を覆う外装部材１２２は、装置本体の開口部１２１に対してスライド移動して容易に着脱される。
【００３７】
外装部材１２２が取り外された装置本体の開口部１２１に香り発生装置１０を取り付ける場合には、開口部１２１の係合凸部１２６に香り発生装置１０の係合凹部１１ａが係合して位置決めされ、香り発生装置１０の係合凸部１１ｂが開口部１２１の係合凹部１２７に嵌まり込んで確実に固定される。また、開口部１２１に挿入されて固定された香り発生装置１０は、規制部材１２９によって、上方向への浮きが抑制される。
【００３８】
「第２実施形態」
図５（ａ）は香り発生装置１０Ａとフィルタ２０が設置された開口部１２１の平面断面模式図、（ｂ）は側面断面模式図、（ｃ）は背面断面模式図である。
以下図面を参照しながら、香り発生装置１０Ａ及びフィルタ２０の交換操作について説明するが、第１実施形態に係る画像形成装置１００と共通の構成要素には、同一の符号を付し、その詳細な説明は省略する。
【００３９】
本実施形態に係る画像形成装置１００Ａは、図５（ａ）、（ｂ）に示すように、開口部１２１に排気ファン１１２により排出される画像形成装置１００内の熱せられた空気を通過させるフィルタ２０を備えている。
【００４０】
開口部１２１には、外装部材１２２の内面側に接して香り発生装置１０Ａが設置され、開口部１２１の壁面１２１ｃとの間に形成される空間を、フィルタ２０が、香り発生装置１０Ａの側面と開口部１２１の壁面１２１ｃに接触して移動しながら開口部１２１の内部後方に案内されて排気ファン１１２の空気吐出面と相対して配置される。
【００４１】
香り発生装置１０Ａは、開口部１２１の係合凸部１２６に香り発生装置１０Ａの係合凹部１１Ａａが係合して位置決めされ、香り発生装置１０Ａの係合凸部１１Ａｂが開口部１２１の係合凹部１２７に嵌まり込んで確実に固定される。
【００４２】
フィルタ２０には、挿入された香り発生装置１０Ａの挿入方向と交差する方向の移動を規制する規制部材２１が設けられ、開口部１２１に挿入されて固定された香り発生装置１０Ａは、規制部材２１によって、上方向への浮きが抑制される。
【００４３】
このように構成される画像形成装置１００Ａにおいては、香り発生装置１０Ａ及びフィルタ２０が設置された開口部１２１を覆う外装部材１２２は、装置本体の開口部１２１に対してスライド移動して容易に着脱される。
【００４４】
外装部材１２２が取り外された装置本体の開口部１２１に香り発生装置１０Ａを取り付ける場合には、開口部１２１の係合凸部１２６に香り発生装置１０Ａの係合凹部１１Ａａが係合して位置決めされ、香り発生装置１０Ａの係合凸部１１Ａｂが開口部１２１の係合凹部１２７に嵌まり込んで確実に固定される。また、開口部１２１に挿入されて固定された香り発生装置１０Ａは、フィルタ２０に一体に形成された規制部材２１によって、上方向への浮きが抑制される。
【００４５】
フィルタ２０は、開口部１２１に固定された香り発生装置１０Ａの側面と開口部１２１の壁面１２１ｃに接触しながら開口部１２１の内部後方にスライド移動して案内されて容易に着脱される。
【符号の説明】
【００４６】
１００、１００Ａ・・・画像形成装置
１１０・・・排気装置
１１１・・・通気ダクト
１１２・・・排気ファン
１２０・・・外装カバー
１２１・・・開口部
１２２・・・外装部材
１２３・・・通気孔
１２４・・・レール部
１２５・・・案内部
１２６・・・係合凸部
１２７・・・係合凹部
１２９・・・規制部材
１０・・・香り発生装置
２０・・・フィルタ
２１・・・規制部材
【図１】
2016180831.tif 000003
【図２】
2016180831.tif 000004
【図３】
2016180831.tif 000005
【図４】
2016180831.tif 000006
【図５】
2016180831.tif 000007
【図６】
2016180831.tif 000008
【図７】
2016180831.tif 000009